(57)【要約】      （修正有）【課題】レンズフードを装着したままの状態であっても、偏光フィルタの回動リングを容易に回動操作することができ、偏光フィルタの使用の利便性を高めることができるカメラ用偏光フィルタ操作装置を提供する。【解決手段】カメラＷのレンズ鏡筒Ｒの先端部に取り付けられる固定リング、及び、固定リングに回動自在に設けられ、入射光を偏光する偏光板１ｂをもつ回動リング１ｃからなる偏光フィルタ１において、偏光フィルタの回動リングにレンズ鏡筒に装着したレンズフードＦの入射開口部Ｆ１を介してレンズフードの外周面より外方に突出して回動リングを回動操作するための操作レバー２を設けてなる。【選択図】図１
0003168581.tif 000002
【実用新案登録請求の範囲】
【請求項１】
カメラのレンズ鏡筒の先端部に取り付けられる固定リング、及び、該固定リングに回動自在に設けられ、入射光を偏光する偏光板をもつ回動リングからなる偏光フィルタにおいて、上記偏光フィルタの上記回動リングに上記レンズ鏡筒に装着したレンズフードの入射開口部を介して該レンズフードの外周面より外方に突出して該回動リングを回動操作するための操作レバーを設けてなることを特徴とするカメラ用偏光フィルタ操作装置。
【請求項２】
カメラのレンズ鏡筒の先端部に取り付けられる固定リング、及び、該固定リングに回動自在に設けられ、入射光を偏光する偏光板をもつ回動リングからなる偏光フィルタにおいて、上記偏光フィルタの上記回動リングに操作リングを固定し、該操作リングに上記レンズ鏡筒に装着したレンズフードの入射開口部を介して該レンズフードの外周面より外方に突出して該操作リングを回動操作するための操作レバーを設けてなることを特徴とするカメラ用偏光フィルタ操作装置。
【考案の詳細な説明】
【技術分野】
【０００１】
本考案は、レンズフードを装着したままで偏光フィルタの偏光板をもつ回動リングを回動操作し得るカメラ用偏光フィルタ操作装置に関するものである。
【背景技術】
【０００２】
この種の偏光フィルタとして、レンズ鏡筒の先端部に取り付けられる固定リング、及び、固定リングに回動自在に設けられ、入射光を偏光する偏光板をもつ回動リングからなる構造のものが知られている。
【０００３】
しかして、人物や風景等の写真撮影に際し、偏光フィルタを構成する固定リングをレンズ鏡胴の先端部に螺着固定し、偏光フィルタの回動リングを固定リングに対して回動操作して偏光効果を得ることにより、例えば、室内に居る人物等をガラス越しに撮影する場合において、ガラス表面での反射光を除去し、室内の人物等を鮮明に撮影することになる。
【先行技術文献】
【特許文献】
【０００４】
【特許文献１】特許第３９７４２２０号公報
【考案の概要】
【考案が解決しようとする課題】
【０００５】
しかしながら、上記従来構造の場合、カメラのレンズ鏡胴にレンズフードを装着したとき、偏光フィルタはレンズフードの内側に入ってしまい、偏光フィルタの回動リングの回動操作が困難となったり、偏光板の表面に指が当たって汚してしまうこともあり、それだけ、偏光フィルタの使用の利便性が低下しているという不都合を有している。
【課題を解決するための手段】
【０００６】
本考案はこれらの不都合を解決することを目的とするもので、本考案のうちで、請求項１記載の考案は、カメラのレンズ鏡筒の先端部に取り付けられる固定リング、及び、該固定リングに回動自在に設けられ、入射光を偏光する偏光板をもつ回動リングからなる偏光フィルタにおいて、上記偏光フィルタの上記回動リングに上記レンズ鏡筒に装着したレンズフードの入射開口部を介して該レンズフードの外周面より外方に突出して該回動リングを回動操作するための操作レバーを設けてなることを特徴とするカメラ用偏光フィルタ操作装置にある。
【０００７】
又、請求項２記載の考案は、カメラのレンズ鏡筒の先端部に取り付けられる固定リング、及び、該固定リングに回動自在に設けられ、入射光を偏光する偏光板をもつ回動リングからなる偏光フィルタにおいて、上記偏光フィルタの上記回動リングに操作リングを固定し、該操作リングに上記レンズ鏡筒に装着したレンズフードの入射開口部を介して該レンズフードの外周面より外方に突出して該操作リングを回動操作するための操作レバーを設けてなることを特徴とするカメラ用偏光フィルタ操作装置にある。
【考案の効果】
【０００８】
本考案は上述の如く、請求項１記載の考案にあっては、偏光フィルタの回動リングに設けられた操作レバーを回動することにより回動リングを回動操作することができ、操作レバーは上記レンズ鏡筒に装着したレンズフードの入射開口部を介してレンズフードの外周面より外方に突出しているので、レンズフードを装着したままの状態であっても、偏光フィルタの回動リングを容易に回動操作することができ、偏光フィルタの使用の利便性を高めることができる。
【０００９】
又、請求項２記載の考案にあっては、偏光フィルタの回動リングに固定された操作リングに設けられた操作レバーを回動することにより操作リングを介して回動リングを回動操作することができ、操作レバーは上記レンズ鏡筒に装着したレンズフードの入射開口部を介してレンズフードの外周面より外方に突出しているので、レンズフードを装着したままの状態であっても、偏光フィルタの回動リングを容易に回動操作することができ、偏光フィルタの使用の利便性を高めることができる。
【図面の簡単な説明】
【００１０】
【図１】本考案の実施の第一形態例の全体斜視図である。
【図２】本考案の実施の第一形態例の分離部分斜視図である。
【図３】本考案の実施の第一形態例の部分断面図である。
【図４】本考案の実施の第一形態例の部分断面図である。
【図５】本考案の実施の第一形態例の全体正面図である。
【図６】本考案の実施の第二形態例の分離部分斜視図である。
【図７】本考案の実施の第二形態例の部分断面図である。
【図８】本考案の実施の第二形態例の部分断面図である。
【図９】本考案の実施の第三形態例の部分斜視図である。
【図１０】本考案の実施の第三形態例の部分断面図である。
【考案を実施するための形態】
【００１１】
図１乃至図１０は本考案の実施の形態例を示し、図１乃至図５は第一形態例、図６乃至図８は第二形態例、図９、図１０は第三形態例である。
【００１２】
図１乃至図５は第一形態例において、１は偏光フィルタであって、カメラＷの対物レンズＬを有するレンズ鏡筒Ｒの先端部に螺子部Ｎにより取り付けられる固定リング１ａ、及び、固定リング１ａに回動自在に設けられ、入射光を偏光する偏光板１ｂをもつ回動リング１ｃから構成されている。
【００１３】
２は操作レバーであって、この場合、図４の如く、上記偏光フィルタ１の上記回動リング１ｃに上記レンズ鏡筒Ｒに装着したレンズフードＦの入射開口部Ｆ１を介してレンズフードＦの外周面より外方に斜めに突出して固定手段、この場合、接着剤や接着テープＴを用いた接着手段により固着され、操作レバー２の回動により回動リング１ｃを回動操作するように構成している。
【００１４】
この実施の第一形態例は上記構成であるから、図５の如く、上記偏光フィルタ１の回動リング１ｃに設けられた操作レバー２を回動することにより回動リング１ｃを回動操作することができ、操作レバー２は上記レンズ鏡筒Ｒに装着したレンズフードＦの入射開口部Ｆ１を介してレンズフードＦの外周面より外方に突出しているので、レンズフードＦを装着したままの状態であっても、偏光フィルタ１の回動リング１ｃを容易に回動操作することができ、偏光フィルタ１の使用の利便性を高めることができる。
【００１５】
尚、この第一形態例にあっては、偏光フィルタ１の回動リング１ｃに別体の操作レバー２を固定しているが、偏光フィルタ１の回動リング１ｃに操作レバー２を一体に形成することもできる。
【００１６】
図６乃至図８の第二形態例は別例構造を示し、この場合、上記偏光フィルタ１の上記回動リング１ｃに操作リング３を螺子部Ｋにより螺着固定し、操作リング３に操作レバー２を上記レンズ鏡筒Ｒに装着したレンズフードＦの入射開口部Ｆ１を介してレンズフードＦの外周面より外方に突出して固定手段、この場合、接着剤や接着テープＴを用いた接着手段により固着し、操作レバー２の回動により回動リング１ｃを回動操作するように構成している。
【００１７】
この実施の第二形態例は上記構成であるから、図８の如く、上記偏光フィルタ１の上記回動リング１ｃに固定された操作リング３に設けられた操作レバー２を回動することにより操作リング３を介して回動リング１ｃを回動操作することができ、操作レバー２は上記レンズ鏡筒Ｒに装着したレンズフードＦの入射開口部Ｆ１を介してレンズフードＦの外周面より外方に突出しているので、レンズフードＦを装着したままの状態であっても、偏光フィルタ１の回動リング１ｃを容易に回動操作することができ、偏光フィルタ１の使用の利便性を高めることができる。
【００１８】
尚、この第二形態例にあっては、操作リング３に操作レバー２を固定しているが、偏光フィルタ１の回動リング１ｃに操作レバー２を接着手段により固着するようにしているが、操作リング３に操作レバー２を合成樹脂成形により一体に形成することもできる。
【００１９】
図９、図１０の第三形態例は別例構造を示し、この場合、上記偏光フィルタ１の回動リング１ｃに嵌着部Ｓにより外嵌着可能な操作リング４及びこの操作リング４に上記レンズ鏡筒Ｒに装着したレンズフードＦの入射開口部Ｆ１を介してレンズフードＦの外周面より外方に突出して回動リング１ｃを回動操作するための操作レバー５を樹脂成形により一体に形成して構成している。
【００２０】
この実施の第三形態例は上記構成であるから、図１０の如く、上記偏光フィルタ１の回動リング１ｃに嵌着し、操作リング４に設けられた操作レバー５を回動することにより操作リング４を介して回動リング１ｃを回動操作することができ、操作レバー５は上記レンズ鏡筒Ｒに装着したレンズフードＦの入射開口部Ｆ１を介してレンズフードＦの外周面より外方に突出しているので、レンズフードＦを装着したままの状態であっても、偏光フィルタ１の回動リング１ｃを容易に回動操作することができ、偏光フィルタ１の使用の利便性を高めることができる。
【００２１】
尚、本考案は上記実施の形態例のものに限られず、例えば操作レバー２・５、操作リング３・４の形態や材質、配置位置、構造は適宜変更して設計されるものである。
【００２２】
以上の如く、所期の目的を充分達成することができる。
【符号の説明】
【００２３】
Ｗ    カメラ
Ｒ    レンズ鏡筒
Ｆ    レンズフード
Ｆ１    入射開口部
１    偏光フィルタ
１ａ    固定リング
１ｂ    偏光板
１ｃ    回動リング
２    操作レバー
３    操作リング
【図１】
0003168581.tif 000003
【図２】
0003168581.tif 000004
【図３】
0003168581.tif 000005
【図４】
0003168581.tif 000006
【図５】
0003168581.tif 000007
【図６】
0003168581.tif 000008
【図７】
0003168581.tif 000009
【図８】
0003168581.tif 000010
【図９】
0003168581.tif 000011
【図１０】
0003168581.tif 000012